(57)【要約】      （修正有）【課題】取得した情報を複数の表示形式で表示する。【解決手段】マルチメディアデータ登録部１２はグループ活動により生成された一塊のマルチメディアデータをマルチメディアデータベース１０に登録する。一塊のマルチメディアデータにはノードが割り当てられ、ノードＩＤが付与されてノードデータベース１１に登録される。ノード関連付け部１３はノード間に親子関係を割り当てる。表示データ抽出部１４は表示形式に応じた表示データをマルチメディアデータベース１０およびノードデータベース１１から抽出する。スケジュール表示制御部１５はマルチメディアデータに含まれる担当者および納期情報からスケジュール表示に必要な情報を抽出して表示する。時系列データ表示制御部１６はマルチメディアデータの生成時刻に基づいて時系列データを抽出して表示する。ノードネットワーク表示制御部１７はノードデータベース１１を参照してノードビューを表示する。【選択図】図２
2006092038.tif 000002
【特許請求の範囲】
【請求項１】
情報を取得する情報取得手段と、
上記情報取得手段により取得した一塊の情報にノードを割り当てるノード割当手段と、
ノードを他のノードに関連付ける関連付け手段と、
上記ノードの関連づけをノードのネットワークにより表示するノードネットワーク表示手段と、
上記一塊の情報の担当者および処理時間に基づいて個人のスケジュールを表示するスケジュール表示手段とを実現するためにコンピュータで実行されることを特徴とする情報表示用コンピュータプログラム。
【請求項２】
関連付けられているノードが割り当てられている一塊の情報の集合を上記一塊の情報の生成時刻に応じて時系列に沿って表示する時系列表示手段をさらに実現する請求項１記載の情報表示用コンピュータプログラム。
【請求項３】
上記時系列表示手段よる表示形式、上記ノードネットワーク表示手段による表示形式および上記スケジュール表示手段による表示形式のそれぞれから他の表示形式に遷移させる表示形式遷移手段をさらに実現する請求項２記載の情報表示用コンピュータプログラム。
【請求項４】
上記ノードの関係付けは親子関係である請求項１、２または３記載の情報表示用コンピュータプログラム。
【請求項５】
情報を取得する情報取得手段と、
上記情報取得手段により取得した一塊の情報にノードを割り当てるノード割当手段と、
ノードを他のノードに関連付ける関連付け手段と、
上記ノードの関連づけをノードのネットワークにより表示するノードネットワーク表示手段と、
上記一塊の情報の担当者および処理時間に基づいて個人のスケジュールを表示するスケジュール表示手段とを有することを特徴とする情報表示装置。
【請求項６】
情報取得手段により情報を取得するステップと、
ノード割当手段により、上記情報取得手段により取得した一塊の情報にノードを割り当てるステップと、
関連付け手段によりノードを他のノードに関連付けるステップと、
ノードネットワーク表示手段により上記ノードの関連づけをノードのネットワークにより表示するステップと、
スケジュール表示手段により上記一塊の情報の担当者および処理時間に基づいて個人のスケジュールを表示するステップとを有することを特徴とする情報処理方法。
【請求項７】
複数人のグループによるグループ活動において生成および利用される情報を処理する情報処理装置であって、  グループ活動を分節して表現する記述単位として、活動記述属性および少なくとも２種類のリンクリストを有するノードを用い、  グループ活動において生成および利用されるマルチメディアデータを管理するマルチメディアデータベースを有し、  可視化情報を作成する情報可視化手段を有し、  前記情報可視化手段は、前記ノードの集合および前記マルチメディアデータベースに蓄積されたマルチメディアデータを用いて、予め定められた複数の情報可視化形式のうちの−つによる可視化情報を作成して表示すると同時に、該複数の情報可視化形式のうちの別の一つへの遷移を可能にすることを特徴とする情報処理装置。
【請求項８】
前記ノードにおける前記リンクリストのうち、少くとも１種類は該ノードの親ノードに対するリンクを表し、前記ノードにおける前記リンクリストのうち、少くとも１種類は該ノードの子ノードに対するリンクを表す請求項７記載の情報処理装置。
【請求項９】
前記ノードにおける前記活動属性として、グループ活動を分節した内容における、担当者、納期、課題内容、対応結果を表す情報を用いる請求項７または８記載の情報処理装置。
【請求項１０】
前記情報可視化手段に対して予め淀める情報可視化形式として、個々のユーザのスケジュール情報とグループ活動の時系列での履歴情報およびノードの親子関係を用いる請求項７、８または９記載の情報処理装置。
【請求項１１】
前記情報可視化手段が可視化情報を生成する際に、可視化情報における個別の前記グループ活動、前記マルチメディアデータおよび前記ノードの表示位置に該グループ活動、該マルチメディアデータおよび該ノードを代表する人物の顔アイコンを配置する請求項７、８、９または１０記載の情報処理装置。
【発明の詳細な説明】
【技術分野】
【０００１】
本発明はグループ活動における情報利用の支援に関するものであり、より詳細にはグループ活動における活動履歴と個人のスケジュールとを統一的に管理する情報処理に関するものである。
【背景技術】
【０００２】
従来の情報システムでは、個人のスケジュール情報とグループ活動に関する情報とは独立したシステムで管理されてきた。
【０００３】
例えば、特許文献１は、特定の相手との通信にアイコンを用いることを提案しており、この提案では、デスクトップ上に通信相手を表すユーザアイコンを配置し、このアイコンを操作することでメールや電話などの通信を行う。
【０００４】
また特許文献２は、携帯電子機器でスケジュール情報を扱う手法を提案しており、この提案では、カレンダ表示されたスケジュールに予定内容に合わせたアイコンを表示する。
【０００５】
ところで、非特許文献１において上野が指摘しているように、個人のスケジュールを考える際には、その個人が関与する仕事や家庭生活にまつわる複数のコミュニティの活動を多層的にとらえた上で、それらのコミュニティ間での活動を調整して個人のスケジュールに反映する必要がある。ところが、上述したように個人のスケジュールとグループ活動の管理とは、別々の情報システムによって管理されてきた。
【０００６】
このため、個人のスケジュール管理システムから会議の予定を参照することはできても、次の会議までに何を準備する必要があり、それに至る背景は何であったかを確認するためにはグループウェアなどの情報システムを利用する必要があった。また、グループウェアからはそのグループに関与する個人のスケジュールなどを参照することは可能であるが、そのグループ活動における近い将来の予定とそれに至る経緯を確認して準備を支援する機能を有するものはほとんどない。このため、この準備に必要な時間を逆算するなどの方法で個人のスケジュールを計画することを統一的に支援することは、既存の情報システムでは困難であった。
【特許文献１】特開平１１−２５９３９３号公報
【特許文献２】特開平８−７７１１１号公報
【特許文献３】特開２００２−３０４５００公報
【非特許文献１】「認知的道具のデザイン」（加藤他編、金子書房、２００１年）
【発明の開示】
【発明が解決しようとする課題】
【０００７】
本発明は、以上の事情を考慮してなされたものであり、グループ活動における活動履歴と個人のスケジュールとを統一的に管理する情報管理技術を提供することを目的としている。
【課題を解決するための手段】
【０００８】
本発明の原理的な構成例によれば、上述の目的を達成するために、情報処理装置が複数人のグループによるグループ活動において生成および利用される情報を処理する。グループ活動を表現する記述単位として、活動記述属性および少なくとも２種類のリンクリストを有するノードを用いる。この情報処理装置は、グループ活動において生成および利用されるマルチメディアデータを管理するマルチメディアデータベースと、可視化情報を作成する情報可視化手段とを有し、前記情報可視化手段は、前記ノードの集合および前記マルチメディアデータベースに蓄積されたマルチメディアデータを用いて、予め定められた複数の情報可視化形式のうちの一つによる可視化情報を作成して表示すると同時に、該複数の情報可視化形式のうちの別の一つへの遷移を可能にする。
【０００９】
この構成例においては、ノードに関連付けてマルチメディアデータを管理し、複数の視点すなわち表示形式でマルチメディアデータを表示できる。複数の視点は例えばグループ活動の１または複数の視点であり、他の視点は個人の視点、例えば個人のスケジュールの視点である。個人のスケジュールをグループ活動環境で提示することができる。
【００１０】
より具体的には、前記ノードにおける前記リンクリストのうち、少くとも１種類は該ノードの親ノードに対するリンクを表し、前記ノードにおける前記リンクリストのうち、少くとも１種類は該ノードの子ノードに対するリンクを表す。
【００１１】
また、好ましくは、前記ノードにおける前記活動属性として、グループ活動を分節した内容における、担当者、納期、課題内容、対応結果を表す情報を用いる。担当者、納期の情報を用いて個人のスケジュールの視点で情報を提示できる。
【００１２】
また、好ましくは、前記情報可視化手段に対して予め定める情報可視化形式として、個々のユーザのスケジュール情報（スケジュール）と、グループ活動の時系列での履歴情報（時系列情報）とノードの親子関係（ノードネットワーク）を用いる。スケジュール情報を用いて、例えば、個人の情報（予定）が提示される。時系列情報により、例えば、グループ活動の進捗を把握できる。ノードネットワークにより、例えば、解決された課題、新たな課題等の関係が明示される。
【００１３】
また、前記情報可視化手段が可視化情報を生成する際に、可視化情報における個別の前記グループ活動、前記マルチメディアデータおよび前記ノードの表示位置に該グループ活動、該マルチメディアデータおよび該ノードを代表する人物の顔アイコンを配置する用にしても良い。
【００１４】
さらに本発明を説明する。
【００１５】
本発明の一側面によれば、上述の目的を達成するために、情報表示装置に：情報を取得する情報取得手段と；上記情報取得手段により取得した一塊の情報にノードを割り当てるノード割当手段と；ノードを他のノードに関連付ける関連付け手段と；上記ノードの関連づけをノードのネットワークにより表示するノードネットワーク表示手段と；上記一塊の情報の担当者および処理時間に基づいて個人のスケジュールを表示するスケジュール表示手段とを設けるようにしている。
【００１６】
この構成においては、ノード相互の関係に基づいて情報を把握できるとともに、個人のスケジュールも提示することができる。情報は例えばグループ活動により生成されまたは利用される情報であり、グループ活動中の個人の活動を個人スケジュールとして抽出提示できる。
【００１７】
この構成において、さらに、関連付けられているノードが割り当てられている一塊の情報の集合を上記一塊の情報の生成時刻に応じて時系列に沿ってに表示する時系列表示手段を設けても良い。この場合、時系列に沿って情報に関連する活動、例えば、グループ活動の進捗を把握できる。
【００１８】
また、さらに、上記時系列表示手段よる表示形式、上記ノードネットワーク表示手段による表示形式および上記スケジュール表示手段による表示形式のそれぞれから他の表示形式に遷移させる表示形式遷移手段を設けても良い。
【００１９】
また、上記ノードの関係付けは例えば親子関係である。
【００２０】
なお、本発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品も本発明の技術的な範囲に含まれることも当然である。
【００２１】
本発明の上述の側面および他の側面は特許請求の範囲に記載され以下実施例を用いて詳述される。
【発明の効果】
【００２２】
本発明によれば、グループ活動における履歴の参照と次の課題および行動予鮭の確認が容易になると同時に、その内容を反映した個人のスケジュールの作成を統一的に管理することが可能になる。これによって、複数のコミュニティ活動に多層的に関与する個人の時間配分や行動計画の立案が容易になる。
【発明を実施するための最良の形態】
【００２３】
以下では、本発明の実施例として、電子計算機を用いた形態について説明する。
【００２４】
本発明をネットワークに接続された汎用電子計算機を用いて実現した場合の構成について説明する。図１は、ネットワーク構成の概要を示す図である。１０１はクライアント端末、１０２はサーバ、１０３はデータ収集端末であり、これらがネットワーク１０４を介して接続されている。クライアント端末１０１およびデータ収集端末１０３はそれぞれ複数設置されていても構わない。
【００２５】
以下では、グループ活動で生成した情報（マルチメディアデータ）をその現場のデータ収集端末１０３で収集し、この情報をサーバ１０２で本発明の手法を採用して管理し、ユーザに異なる表示形式でクライアント端末１０１を介して提示することを想定するが、これは一例にすぎず、クライアント端末１０１で情報を収集しても良いし、逆にデータ収集端末１０３で情報の提示を受けても良い。端末１０１、１０３は携帯情報端末でも良い。１つの計算機例えばパーソナルコンピュータが種々のサイトから情報を取得し、これに基づいて本発明の情報処理を行い情報を提示するようにしても良い。
【００２６】
図２は、サーバ１０２の機能をブロックにより模式的に示している。各機能はサーバ１０２のハードウェア資源およびソフトウェア資源を協同させて実現される。サーバ１０２は各機能を用いてクライアント端末１０１に対してサービスを提供する。
【００２７】
図２において、サーバ１０２は、マルチメディアデータベース１０、ノードデータベース１１、マルチメディアデータ登録部１２、ノード関係付け部１３、表示データ抽出部１４、スケジュール表示制御部１５、時系列データ表示制御部１６、ノードネットワーク表示制御部１７等の機能を実現する。
【００２８】
マルチメディアデータ登録部１２は、グループ活動により生成された一塊のマルチメディアデータをマルチメディアデータベース１０に登録するものである。一塊のマルチメディアデータにはノードが割り当てられ、そのノードにはノードＩＤが付与されてノードデータベース１１に登録される。ノードの詳細については後に説明する。
【００２９】
ノード関連付け部１３は、ノードとノードとの関連づけを行なう。典型的には、親ノードと子ノードの関係付けを行なう。その詳細についても後に説明する。
【００３０】
表示データ抽出部１４は、表示形式に応じた表示データをマルチメディアデータベース１０およびノードデータベース１１から抽出する。スケジュール表示制御部１５は、選択されたユーザのスケジュール（スケジュールビュー）を表示するものであり、典型的には、マルチメディアデータに含まれる担当者および納期の情報からスケジュール表示に必要な情報を抽出して表示する。時系列データ表示制御部１６は、例えばグループ活動の時系列ビューを表示するものであり、マルチメディアデータの生成時刻に基づいて時系列データを抽出して表示する。ノードネットワーク表示制御部１７はノードデータベース１１を参照してノードネットワーク（ノードビュー）を表示制御する。
【００３１】
スケジュール表示制御部１５、時系列データ表示制御部１６およびノードネットワーク表示制御部１７はクライアント端末１０１にそれぞれの形式の表示データを転送し、これがクライアント端末１０１の表示装置上に表示される。
【００３２】
次に、クライアント端末１０１上での操作および情報提示の概要を説明する。図３−（ａ）はクライアント端末１０１上でユーザの個人スケジュールを表示した場合である。１１１は表示切り替え用のタブであり、これを図示しないマウスポインタなどで選択することにより、スケジュールの表示形式を切り替える。別のタブを選択することで、表示形式を月表示や過表示あるいは日表示に切り替えることが可能である。また、年表示などの他の時間区分に対応するタブを用意しても構わない。スケジュール表示にはアイコン１１２が用いられる。これには、ユーザが事前に定義した画像を用いてもよいし、関連する他のユーザの顔画像や似顔絵などを用いても構わない。このアイコン１１２を選択すると、図３−（ｂ）に示す時系列ビユーに遷移する。ボタン１１５は時系列上の１点を指示するためのスライダボタンであり、このボタン１１５の位置によってサムネイルバー１１６中の１要素が選択され、その内容が表示領域１１７に表示される。ボタン１１３は先程のスケジュール表示状態に遷移するためのボタンであり、ボタン１１４はノード間の関係を可視化した表示状態に遷移するためボタンである。図３−（ｃ）はノード間の関係を表示する表示状態である。１１８ａおよび１１８ｂおよび１１８ｃはそれぞれノードを表すアイコンである。このアイコンの表示には、図３−（ａ）の場合と同様のアイコンデータを用いればよい。ノード間に配置された矢印はノード間の親子関係を表現しており、例えばノード１１８ｂとノード１１８ａの間では、ノード１１８ｂが親でありノード１１８ａがその子であることを表している。図３−（ｂ）の場合と同様に、ボタン１１９およびボタン１２０のそれぞれによって、図３−（ｃ）の状態から図３−（ｂ）および図３−（ａ）の状態に遷移することが可能である。
【００３３】
図４は個々のノードの内部構造を示す図である。ノード１２１は、その内部要素として、ｉｄエントリ１２２、ｐｒｅｖエントリ１２３、ｎｅｘｔエントリ１２４、ｗｈｏエントリ１２５、ｗｈｅｎエントリ１２６、ｗｈａｔエントリ１２７、ｈｏｗエントリ１２８を有する。それぞれのエントリには、対応する値または値のリストを格納することができる。ｉｄエントリ１２２には、このノード１２１に固有の識別子が格納される。ｐｒｅｖエントリ１２３およびｎｅｘｔエントリ１２４にはこのノード１２１のそれぞれ親および子のノードの識別子が格納される。ｗｈｏエントリ１２５、ｗｈｅｎエントリ１２６、ｗｈａｔエントリ１２７、ｈｏｗエントリ１２８のそれぞれには、テキストまたは図示しないマルチメディアデータベースヘのインデックスが格納される。
【００３４】
図５はノード間の親子関係の表現を説明する図である。図５には、ノード１３１、１３２および１３３のｉｄエントリ、ｐｒｅｖエントリおよびｎｅｘｔエントリを抜粋して記載している。ノード１３２は、ｉｄエントリ１３５に値「００５」を保持し、ｐｒｅｖエントリ１３６に値「００３」を保持し、ｎｅｘｔエントリ１３７に値「００７」を保持している。ノード１３ｌは、ｉｄエントリ１３４に値「００３」を保持しており、これがノード１３２のｐｒｅｖエントリと一致している。これによって、ノード１３１はノード１３２の親ノードであることを表現している。また、ノード１３３のｉｄエントリ１３８は値「００７」を保持しており、これがノード１３２のｎｅｘｔエントリ１３７の値と一致するため、これによってノード１３３がノード１３２の子ノードであることが表現されている。
【００３５】
図６はノードとマルチメディアデータの参照関係を表す図である。ノードにはｗｈｏエントリ、ｗｈｅｎエントリ、ｗｈａｔエントリ、ｈｏｗエントリがあり、それらはマルチメディアデータを参照することができる。ノード１４１のｗｈａｔエントリの値としてマルチメディアデータベース１０に格納されているマルチメディアデータを参照することが可能であり、矢印１４４はその関係を表している。また１つのノードから複数のマルチメディアデータを参照することも可能であり、ノード１４２からはｗｈａｔエントリおよびｈｏｗエントリのそれぞれから矢印１４５および１４６で示すようにマルチメディアデータベース１０上のマルチメディアデータを参照することが可能である。
【００３６】
このようにして記述されたノードおよびマルチメディアデータから、図３−（ｂ）に示したサムネイルバーを生成する手順を図７に示す。１５２において、ノードの親子関係などを参照して関連する一連のノードをスキャンする。１５３においてそのノード群から参照されているマルチメディアデータをデータベースから抽出し、１５４においてそれを生成時刻の時系列順に整列する。続いて１５５でそれぞれのマルチメディアデータに対応するサムネイル形式を準備する。サムネイル形式は、それぞれのマルチメディアデータのデータ形式に応じてその内容を代表する部分を抽出したものであればよく、例えば静止画であればその縮小画像などであり動画像に対しては冒頭のフレームの縮小画像などであり文書画像であれば最初のページの縮小画像などを用いればよい。また、音声に対しては冒頭の数秒程度を用いればよい。本発明は、これらサムネイルの表現形式を限定するものではない。また、サムネイル作成に際しては、マルチメディアデータ本体だけを用いるのではなく、作成日時や登場人物などのメタデータを用いたり、それらの組合わせから生成することも有用である。以上のようにして作成したサムネイルを１５６において棒状の領域の内部に酎置することで、サムネイルバーが完成する。
【００３７】
図８はマルチメディアデータを作成する場面を説明する図である。ここでは、複数の参加者による会議の場面を想定している。カメラ１６１およびマイク１６２は会議の参加者の画像および音声を計算機１６３に記録するために用いられる。また、電子黒板１６４を用いれば、文書情報の表示やそれに対する書き込み付加の情報の取得も可能になる。こうして集められた情報は、ネットワーク１６５を介してサーバに送られる。このとき、情報を適当な単位に分割する方法としては、会議参加者の挙動を自動認識して計算機側でデータ分割を行ってもよいし、電子タグ読み取り装置１６６などを用いて会議の参加者がデータを保存すべきタイミングを指示しても構わない。この際に、データを修飾するメタデータを付加してサーバに保存しておくことが好ましい。このメタデータとして、例えば担当者や納期などの情報を格納しておけば、これを用いて各担当者の個人のスケジュールに展開する作業を自動化することができる。
【００３８】
例えば、マルチメディアデータを登録する際に、担当者、納期等のメタデータを入力するフォームを用いてマルチメディアの本体を登録する際にこれらを同時に登録するようにしても良い。分割してマルチメディアデータを仮登録しておき、後に、担当者等が、順次にマルチメディアデータを取りだしてメタデータをバッチ的に付与しても良い。マルチメディアデータの登録時にノードの親子関係を指定しても良い。時系列ビューの基準としてマルチメディアデータの生成時刻に変えて登録時刻や管理者等が事後的に指定した時刻を用いても良い。
【００３９】
図９はデータ間の親子関係を指示する操作の一例を説明する図である。新なデータが生成されるとデータベース登録の際にアイコン１７２として表示される。このアイコンは既存の情報を表すアイコン１７１とは区別して表示される。アイコン１７２で表示される情報がアイコン１７１で表示される既存の情報に包含される場合には、マウスポインタ１７３を用いてアイコン１７２をアイコン１７１上にドラッグすることで、アイコン１７２が表す情報をアイコン１７１が表すノードの内部情報として格納することができる。これは、アイコン１７１がある課題を表現しており、アイコン１７２がそれに対する対応策を表現している場合などに相当する。これに対してアイコン１７２が表現する情報がアイコン１７１が表現する情報と親子関係を形成する場合には、マウスポインタ１７３によってアイコン１７２をアイコン１７１の近傍にドラッグすればよい。この操作によって、システムは新たなノードを作成し、アイコン１７２が表現する情報をそのノードに格納し、既存のノードとの親子関係を設定する。これは、アイコン１７１がある課題とその対応策を表す情報を表現しており、その対応策を実現するために必要な新たな課題をアイコン１７２が表現する情報が保持している場合に相当する。
【００４０】
本実施例に示した情報処理装置を利用してグループ作業を進める場合、会議などの対面の場面およびそれに近い擬似的な対面の場面においては、参加者は過去の経緯を参照しながら新たな情報提供と議論を行い、解決策や部分課題が提示されるとその情報を既存の情報と対応付けながら漸次的に付加していく。この情報の付加を行う際に、担当者や納期を同時に格納しておけば、各担当者の個人スケジュールに反映することが可能になる。各担当者は、個人スケジュールから担当課題を確認する際に、納期や担当作業と同時にその経緯を確認することが可能になる。これによって、多層的なコミュニティ活動を行う個人が、それぞれのコミュニティにおける経緯を確認しながら時間配分を行い行動計画を立案することが可能になる。
【００４１】
本実施例の情報処理装置を用いれば、グループ活動における履歴の参照と次の課題および行動予鮭の確認が容易になると同時に、その内容を反映した個人のスケジュールの作成を統一的に管理することが可能になる。これによって、複数のコミュニティ活動に多層的に関与する個人の時間配分や行動計画の立案が容易になる。
【図面の簡単な説明】
【００４２】
【図１】本発明の実施例の情報処理システムを全体として示す図である。
【図２】上述実施例のサーバ１０２における機能構成例を説明する図である。
【図３】上述実施例の異なる表示形式の例を説明する図である。
【図４】上述実施例で用いるノードの内部構造の例を説明する図である。
【図５】上述実施例のノードの親子関係の例を説明する図である。
【図６】上述実施例のノードとマルチメディアデータとの参照関係を説明する図である。
【図７】上述実施例の動作例を説明するフローチャートである。
【図８】上述実施例においてマルチメディアデータを生成する場面の例を説明する図である。
【図９】上述実施例のノードの関連づけの例を説明する図である。
【符号の説明】
【００４３】
１０      マルチメディアデータベース
１１      ノードデータベース
１２      マルチメディアデータ登録部
１３      ノード関連付け部
１４      表示データ抽出部
１５      スケジュール表示制御部
１６      時系列データ表示制御部
１７      ノードネットワーク表示制御部
１０１      クライアント端末
１０２      サーバ
１０３      データ収集端末
１０４      ネットワーク
【図１】
2006092038.tif 000003
【図２】
2006092038.tif 000004
【図４】
2006092038.tif 000005
【図５】
2006092038.tif 000006
【図６】
2006092038.tif 000007
【図７】
2006092038.tif 000008
【図８】
2006092038.tif 000009
【図３】
2006092038.tif 000010
【図９】
2006092038.tif 000011